(57)【特許請求の範囲】
【請求項１】
吸収体を具備し、着用者の腹側に配される腹側部、股間部に配される股下部及び背側に配される背側部を有する使い捨ておむつであって、
前記吸収体は、吸水性ポリマーを含む縦長の吸収性コア及び該吸収性コアの上下面を被覆するコアラップシートを有しており、
前記吸収性コアは、股下部に、該吸収性コアの長手方向に延びる中央吸収部及び該中央吸収部の長手方向の両側に位置する一対のサイド吸収部を有し、該中央吸収部の幅方向中央部に、厚み方向の全体が欠落した中央非積繊部が形成され、該中央吸収部と前記サイド吸収部との間に側部非積繊部が形成されており、
前記側部非積繊部において、前記吸収性コアの上下に配されたコアラップシートどうしが接合されており、前記中央非積繊部においては、前記吸収性コアの上側に配されたコアラップシートが、その直下に位置する部材に接合されておらず、
前記吸水性ポリマーは、前記中央吸収部に、前記サイド吸収部よりも高坪量に配されており、
前記側部非積繊部は、前記中央吸収部の側縁に沿って延びており、
前記吸収性コアの上側に配されたコアラップシートは、接着剤を介して、該吸収性コアの幅方向における前記中央非積繊部の隣接部位と接合されており、該吸収性コアの下側に配されたコアラップシートも、接着剤を介して、該吸収性コアの幅方向における該中央非積繊部の隣接部位と接合されている、使い捨ておむつ。
【請求項２】
前記中央吸収部が、上部吸収層と下部吸収層とを有する多層構造を有し、前記吸水性ポリマーが、上部吸収層に、下部吸収層より高坪量に含まれている請求項１記載の使い捨ておむつ。
【請求項３】
請求項１記載の使い捨ておむつの製造方法であって、
中央非積繊部を有する中央吸収部と、該中央吸収部の長手方向の両側に一対のサイド吸収部と、該中央吸収部と該サイド吸収部との間に側部非積繊部を有する吸収性コアを製造する工程、コアラップシートにおける前記側部非積繊部に対応する部分に接着剤を配する工程、及び上下面にコアラップシートを配された状態の吸収性コアを、前記側部非積繊部に対応する部分それぞれに押し込み部を有し前記中央非積繊部に対応する部分に押し込み部を有しない加圧ロールで加圧し、上下のコアラップシートの一方又は双方を側部非積繊部に押し込んで、上下のコアラップシートどうしを接合させる工程を具備する吸収体の製造工程を具備する使い捨ておむつの製造方法。
【発明の詳細な説明】
【技術分野】
【０００１】
本発明は、使い捨ておむつに関する。
【背景技術】
【０００２】
従来、使い捨ておむつの吸収体としては、解繊パルプ等の繊維材料からなる繊維集合体やこれに吸水性ポリマー等の機能性材料を保持させたもの等からなる吸収性コアを、薄紙や透水性の不織布等からなるコアラップシートで被覆したものが汎用されている。
また、吸収体を変形性を高めてフィット性や漏れ防止性を高めるために、吸収性コアにスリットや部分的にコアの形成材料が存在しない部分を設ける技術も種々提案されている。
例えば、特許文献１には、前胴周り域及び後胴周り域を有するシャーシと、前胴周り域から後胴周り域にわたって配される吸収体とを備え、前記吸収体を構成する吸収性コアに、中央低剛性部及び一対の側方低剛性部を設けた吸収性物品が記載されている。
また、特許文献２，３にも、使い捨ておむつの吸収性コアに、吸収性コアの形成材料が存在しない部分や細長形状の孔部を３本並列に形成することが開示されている。
【先行技術文献】
【特許文献】
【０００３】
【特許文献１】国際公開第２００８／０６９２７９号
【特許文献２】実開平０２−０１０８２４号公報
【特許文献３】特開２００８−２８４１９０号公報
【発明の概要】
【発明が解決しようとする課題】
【０００４】
特許文献１には、中央低剛性部及び一対の側方低剛性部として、吸収性コアの形成材料が存在しない部分を設けることが記載されている。しかし、吸収性コアの形成材料が存在しない部分で吸収性コアが幅方向に分割されていると、おむつの着用中に、分割された個々の部分の形が崩れたり、相互間の配置に乱れが生じたりすることがあり、期待した漏れ防止性や吸収性能が得られない。特許文献３の技術も同様の問題を有している。
特許文献２においては、吸収性コアが存在しない３本の帯状部分の何れにおいても、表面シートが帯状部分内に押し込まれて裏面シート等と接合されている。そのため、吸収性コアとして吸水性ポリマーを含むものを用いると、吸収性コアに密着したシートによって、吸水性ポリマーの膨潤が阻害され、期待される吸収容量が得られない。
【０００５】
従って、本発明の課題は、吸収性コアの保形性に優れるとともに、吸水性ポリマーの膨潤阻害が生じにくく、吸水性ポリマーの吸収性能が充分に発現される使い捨ておむつを提供することにある。
【課題を解決するための手段】
【０００６】
本発明は、吸収体を具備し、着用者の腹側に配される腹側部、股間部に配される股下部及び背側に配される背側部を有する使い捨ておむつであって、前記吸収体は、吸水性ポリマーを含む縦長の吸収性コア及び該吸収性コアの上下面を被覆するコアラップシートを有しており、前記吸収性コアは、股下部に、該吸収性コアの長手方向に延びる中央吸収部及び該中央吸収部の長手方向の両側に位置する一対のサイド吸収部を有し、該中央吸収部の幅方向中央部に、少なくとも上面側の一部が欠落した中央非積繊部が形成され、該中央吸収部と前記サイド吸収部との間に側部非積繊部が形成されており、前記側部非積繊部において、前記吸収性コアの上下に配されたコアラップシートどうしが接合されており、前記中央非積繊部においては、前記吸収性コアの上側に配されたコアラップシートが、その直下に位置する部材に接合されていない、使い捨ておむつを提供するものである。
【発明の効果】
【０００７】
本発明の使い捨ておむつは、吸収性コアの保形性に優れるとともに、吸水性ポリマーの膨潤阻害が生じにくく、吸水性ポリマーの吸収性能が充分に発現される。
【図面の簡単な説明】
【０００８】
【図１】図１は、本発明の一実施形態であるパンツ型使い捨ておむつを示す斜視図である。
【図２】図２は、図１に示すパンツ型使い捨ておむつの展開且つ伸長状態を肌当接面側から見た一部破断平面図である。パンツ型使い捨ておむつについての展開且つ伸長状態は、サイドシール部を引き剥がして、パンツ型使い捨ておむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【図３】図３は、図２のＩＩＩ−ＩＩＩ線断面図である。
【図４】図４は、着用状態の使い捨ておむつにおける吸収性コアの幅方向の断面を示す模式図であり、図４（ａ）は、図２中に矢印Ｐ１で示す位置における断面、図４（ｂ）は、図２中の矢印Ｐ２で示す位置における断面を示す図である。
【図５】図５は、本発明の使い捨ておむつの製造方法の好ましい一実施態様を説明するための斜視図である。
【図６】図６は、本発明の使い捨ておむつの製造方法の好ましい一実施態様を説明する平面図である。
【図７】図７は、本発明の他の実施形態における吸収体の幅方向断面を示す断面図である。
【発明を実施するための形態】
【０００９】
以下に、本発明をその好ましい実施形態に基づき図面を参照しながら説明する。
本発明の一実施形態である使い捨ておむつ１（以下、おむつ１ともいう）１は、いわゆるパンツ型のおむつであり、図１〜図３に示すように、液透過性の表面シート２、液不透過性又は撥水性の裏面シート３、及びこれら両シート２，３間に配された縦長の吸収体４を具備する吸収性本体５と、該吸収性本体５の非肌当接面側に位置して該吸収性本体５を固定している外包材１０とを備えている。
【００１０】
吸収体４は、吸水性ポリマーを含み縦長の吸収性コア４０及び該吸収性コアの上下面を被覆するコアラップシート４５を有している。本実施形態における吸収性コア４０は、図３に示すように、吸収性コア４０の上下面及び長手方向の両側面を含む、吸収性コア４０の幅方向断面の全周囲がコアラップシート４５に被覆されている。
使い捨ておむつ及びその吸収性コアにおいて、肌当接面側及び上側は、使い捨ておむつの着用時に着用者の肌側に向けられる面側であり、非肌当接面側及び下側は、該使い捨ておむつの着用時に着用者の肌側とは反対側に向けられる面側である。
おむつ１は、図１及び図２に示すように、着用時に着用者の腹側に配される腹側部Ａ、股間部に配される股下部Ｃ及び背側に配される背側部Ｂを有している。外包材１０は、腹側部Ａの両側縁部と背側部Ｂの両側縁部とが接合されており、それによって、おむつ１に、一対のサイドシール部Ｓ，Ｓ、ウエスト開口部７及び一対のレッグ開口部８，８が形成されている。
【００１１】
パンツ型使い捨ておむつにおける腹側部Ａ及び背側部Ｂは、おむつの幅方向（図２中Ｙ方向）の両端にサイドシール部Ｓ，Ｓを有する部分である。おむつの長手方向は、腹側部Ａから股下部Ｃを経て背側部Ｂに亘る方向又はその逆方向であり、図２中のＸ方向である。本実施形態のおむつ１においては、おむつ１の長手方向、吸収体４の長手方向、吸収性コア４０の長手方向、及び中央吸収部４１の長手方向は、何れも図２中のＸ方向である。
【００１２】
おむつ１における吸収性コア４０は、図２及び図３に示すように、股下部Ｃに、吸収性コア４０の長手方向に延びる中央吸収部４１及び該中央吸収部４１の長手方向の両側に位置する一対のサイド吸収部４２，４２を有している。詳述すると、吸収性コア４０は、図２に示すように、腹側部側の方が幅が広い平面視略Ｔ字状の上部吸収層４１１と、上部吸収層４１１より長手方向及び幅方向の寸法が大きい矩形状の下部吸収層４１２とが積層された構造を有している。
サイド吸収部４２，４２は、図３に示すように、下部吸収層４１２に貫通孔を設けて形成した側部非積繊部４４，４４のそれぞれより幅方向（Ｙ方向）の外方に位置する部分であり、中央吸収部４１は、側部非積繊部４４，４４間に位置する部分である。
なお、上部吸収層４１１は、おむつ１の股下部Ｃから腹側部Ａに亘って配されており、下部吸収層４１２は、股下部Ｃを縦断して腹側部Ａ及び背側部Ｂに亘っている。
【００１３】
また、おむつ１における吸収性コア４０は、図２及び図３に示すように、中央吸収部４１の幅方向中央部に、厚み方向の全体が欠落した中央非積繊部４３が形成されており、また、中央吸収部４１とサイド吸収部４２，４２との間に側部非積繊部４４，４４が形成されている。側部非積繊部４４は、上部吸収層４１１の側縁と吸収性コア４０の長手方向の側縁との間における上部吸収層４１１の側縁寄りの部位に形成されている。また、側部非積繊部４４は、中央吸収部４１の側縁に沿って延びている。
【００１４】
本実施形態における吸収性コア４０は、上部吸収層４１１及び下部吸収層４１２が、それぞれ、解繊パルプ等の繊維材料からなる繊維集合体又はこれに吸水性ポリマーの粒子を保持させてなるものからなる。また、吸収体４は、このような構成の上部吸収層４１１及び下部吸収層４１２の全体がコアラップシート４５で被覆されてなる。コアラップシートとしては、各種公知のものを用いることができ、例えばティッシュペーパのような薄紙や透水性の不織布等が好ましく用いられる。
【００１５】
側部非積繊部４４は、吸収性コアを形成する材料（コア形成材料）が存在しない部分であり、図３に示すように、該側部非積繊部４４を介して、吸収性コア４０の上下のコアラップシートどうしが接合されている。側部非積繊部４４は、コアラップシードどうしの強固な接合の点から、コア形成材料が全く存在しない部分であることが好ましいが、コアラップシードどうしの接着剤による直接の接合を妨げない程度に、若干のコア形成材料が存在していても良い。
他方、中央非積繊部４３は、中央吸収部４１における吸収性コア４０の少なくとも上面側の一部が欠落した部分である。中央非積繊部４３は、上部吸収層の厚み以上の深さがあることが好ましく、また、図３に示すように中央非積撰部４３に隣接する部位における中央吸収部４１の厚みｔとほぼ同程度の深さを有することがより好ましい。
【００１６】
本実施形態における中央非積繊部４３は、図３に示すように、上部吸収層４１１及び下部吸収層４１２に、両者を厚み方向に貫通する貫通孔を形成してなる。上部吸収層４１１及び下部吸収層４１２の両者を貫通する貫通孔は、例えば、上部吸収層４１１及び下部吸収層４１２を、それぞれ貫通孔を有するものとして製造した後、両吸収層を、両者の貫通孔どうしが重なるように積層してなる。また、これに代えて、上部吸収層４１１及び下部吸収層４１２をそれぞれ貫通孔を有しないものとして製造した後、そのそれぞれに貫通孔を形成し、次いで両吸収層を、両者の貫通孔どうしが重なるように積層してなるものであっても良い。更に、上部吸収層４１１及び下部吸収層４１２をそれぞれ貫通孔を有しないものとして製造した後、両吸収層を重ね、次いで、両者を貫通する貫通孔を一体的に形成したものであっても良い。
【００１７】
そして、本実施形態の吸収性コア４０の側部非積繊部４４においては、吸収性コア４０の上側に配されたコアラップシート４５ａが、側部非積繊部４４内に押し込まれており、その押し込まれた部分が、吸収性コア４０の下側に配されたコアラップシート４５ｂに接着剤４７を介して接合されている。接着剤４７は、側部非積繊部４４の長手方向に連続的に塗工されていても良いし、非連続的に塗工されていても良い。また、側部非積繊部４４に対応する部分の全域に接着剤が全面塗工されていても良い。但し、規則的なパターンで、側部非積繊部４４の長手方向の全域に亘って塗工されていることが好ましい。例えば、コアラップシート４５ａ又は４５ｂに、側部非積繊部４４と同幅又はそれより広い幅のスパイラルパターンや連続波状パターン、ジグザグパターン、Ω字を連続させたパターン等で接着剤４７を、吸収性コア４０の長手方向に沿って塗工し、その接着剤上又はその接着剤下に側部非積繊部４４を位置させ、該接着剤を介して吸収性コア４０の上下のコアラップシートどうしを接合することができる。接着剤４７の塗工幅は、側部非積繊部４４の幅より狭くしても良く、側部非積繊部４４の幅内に、側部非積繊部４４の長手方向に延びる接着剤塗工部が複数本形成されるように塗工することもできる。接着剤４７の塗工範囲は、側部非積繊部４４の全長Ｌ４４の５０％以上、より好ましくは８０％以上であることが好ましい。また、並列領域Ｒ１の全長に亘って塗工されていることが好ましく、側部非積繊部４４の全長に亘って塗工されていることが更に好ましい。
【００１８】
他方、中央非積繊部４３においては、吸収性コア４０の上側に配されたコアラップシート４５ａは、その直下に位置する部材である、下側のコアラップシート４５ｂに接合されていない。この場合、コアラップシート４５ａの中央非積繊部４３に対応する部分の下面（吸収性コア側の面）には、接着剤が塗工されていないことが好ましいが、当該部分に接着剤が塗工されていても良い。当該部分に接着剤が塗工されていても、その接着剤がその直下に位置する部材と接着されていなければ、吸液した吸水性ポリマー又はそれを含む吸収性コア４０が膨潤する空間を確保することができる。
【００１９】
特に、その接着剤が、その直下に位置する部材と接触しない工夫を施すことにより、コアラップシート４５ａの下面とその直下に位置する部材との間に、吸液した吸水性ポリマー又はそれを含む吸収性コア４０が膨潤する空間をより確実に確保することができる。
前記の工夫としては、後述する好ましい製造方法において説明するように、側部非積繊部４４における上下のコアラップシート４５ａ，４５ｂどうしを接合させる際に、側部非積繊部４４に対応する部分に押し込み部を有し中央非積繊部４３に対応する部分に押し込み部を有しない加圧ロール１４１を用いることにより、側部非積繊部４４，４４間のコアラップシート４５ａに張力を加えること等が挙げられる。但し、コアラップシート４５ａの中央非積繊部４３に対応する部分や、中央非積繊部４３が貫通孔である場合に、コアラップシート４５ｂの中央非積繊部４３に対応する部分に接着剤を粘着剤等の接着剤を配する場合、中央非積繊部４３の幅Ｗ４は２０ｍｍ以下、特に１２ｍｍ以下とすることが、該接着剤を介した接合を防止する観点から好ましい。
【００２０】
なお、吸収性コア４０における中央非積繊部４３及び側部非積繊部４４以外の部分と、その下に配されたコアラップシート４５ｂとの間も、前述したような、スパイラルパターンや連続波状パターン、ジグザグパターン、Ω字を連続させたパターン等の規則的なパターンで塗工した接着剤（図示せず）により固定することが好ましい。
【００２１】
また、図３に示す例においては、吸収性コア４０の上側に配されたコアラップシート４５ａは、接着剤４８を介して、吸収性コア４０の幅方向における中央非積繊部４３の隣接部位と接合されている。また、同様に、吸収性コア４０の下側に配されたコアラップシート４５ｂも、接着剤４９を介して、吸収性コア４０の幅方向における中央非積繊部４３の隣接部位と接合されている。コアラップシート４５ａ及び／又はコアラップシート４５ｂを、吸収性コア４０の幅方向における中央非積繊部４３の隣接部位と接合することで、吸収性コア４０の各部分の形が崩れたり、相互間の配置に乱れが生じたりすることを一層効果的に防止することができ、吸液した吸水性ポリマーやそれを含む吸収性コア４０が膨潤する空間を一層確実に確保することができる。接着剤４８，４９も、規則的なパターンで、側部非積繊部４４の長手方向に沿って塗工されていることが好ましい。接着剤４８，４９の塗工範囲は、それぞれ、側部非積繊部４４の全長Ｌ４４の５０％以上、より好ましくは８０％以上であることが好ましい。また、並列領域Ｒ１の全長に亘って塗工されていることが好ましく、側部非積繊部４４の全長に亘って塗工されていることが更に好ましい。接着剤４８，４９の塗工は、帯状にべた塗りしても良いし、接着剤４７と同様の規則的なパターンで帯状に塗工しても良い。
【００２２】
本実施形態のおむつ１は、中央非積繊部４３によって、吸収性コア４０とその上側に配されたコアラップシート４５ａとの間に空間が形成され、その中央非積繊部４３におけるコアラップシート４５ａがその直下に位置する部材（コアラップシート４５ｂ）に接合されていないため、中央吸収部４１に液が吸収されて該中央吸収部４１に含まれる吸水性ポリマーが膨潤するときに、該吸水性ポリマーの体積増大分の多くを前記空間が吸収するため、吸水性ポリマーが膨潤阻害を受けることなく充分に膨潤することができる。
そのため、吸水性ポリマーの吸収性能が充分に発現される。そのため、例えば、吸水性ポリマーの配合により使い捨ておむつの性能を効果的に向上させることができる。
その一方、側部非積繊部４４において、吸収性コアの上下に配されたコアラップシート４５ａ，４５ｂどうしが接合されていることによって、吸収性コア４０の保形性にも優れている。即ち、おむつの着用中などに、中央吸収部４１やサイド吸収部４２，４２の形が崩れたり、それらの相互間の配置に乱れが生じたりすることが防止される。
【００２３】
上述したように、中央吸収部４１は、中央非積繊部４３の存在によって、配合した吸水性ポリマーの吸収性能を充分に発揮させることができる。そのため、吸水性ポリマーは、中央吸収部４１に、サイド吸収部４２，４２よりも高坪量に配することが、使い捨ておむつの性能を吸水性ポリマーにより効率的に向上させる観点から好ましい。また、同様の観点から、中央吸収部４１が、上部吸収層４１１と下部吸収層４１２とを有する多層構造（２層構造でも良い）を有する場合、吸水性ポリマーは、上部吸収層４１１に、下部吸収層４１２より高坪量に含ませることが好ましい。３層構造以上の多層構造の場合、最も上側の吸収層に、それより下の吸収層より高坪量に吸水性ポリマーを配合することが好ましい。
【００２４】
なお、本実施形態における中央非積繊部４３は、吸収性コア４０の長手方向への液の拡散性を高めたり、吸収性コア４０の幅方向の屈曲性を高める機能も有する。
また、本実施形態における側部非積繊部４４は、吸収性コア４０の長手方向への液の拡散性を高めたり、吸収性コア４０の幅方向の屈曲性を高める機能を有する
【００２５】
即ち、本実施形態のおむつ１における吸収体４は、図２に示すように、股下部Ｃにおける吸収性コア４０に、中央非積繊部４３と一対の側部非積繊部４４，４４とが吸収性コア４０の長手方向に並列している領域Ｒ１（以下、並列領域Ｒ１ともいう）を有している。
そして、股下部Ｃにおける吸収性コア４０が並列領域Ｒ１を有することにより、図４（ａ）に示すように、おむつ着用時に、並列領域Ｒ１における吸収性コア４０が、中央非積繊部４３が山部、側部非積繊部４４，４４が谷部となるように、Ｗ字状に屈曲する。
股下部Ｃにおいて吸収性コア４０がＷ字状に屈曲することにより、吸収性コア４０が、着用者の脚Ｅより加えられる圧力に対して柔軟に変形し、脚に加わる圧力やそれによる抵抗感や違和感等が軽減される。また、吸収性コア４０の幅方向における側部非積繊部４４より外方の側部部分４６が起立してその端部が着用者の肌、好ましくは鼠蹊部に沿って位置することにより、良好な横漏れ防止性も得られる。
【００２６】
また、吸収性本体５における中央非積繊部４３を有する部分が、着用者の排尿部に密着しやすくなるため、尿が吸収体４や吸収性コア４０内にスムーズに吸収される。そして、吸収体４や吸収性コア４０内に取り込まれた尿が、吸収性コア４０の前後方向に拡散し、吸収性コア４０の並列領域Ｒ１の前後に位置する部分の吸収能力も有効に活用される。これにより、おむつ１が、漏れを生じることなく吸収できる尿の量が増大し、長時間の着用や排尿量が多い場合等にも尿漏れが生じにくくなる。しかも、吸収体４や吸収性コア４０内に取り込まれて尿が拡散するので肌と尿の接触による湿潤感やかぶれ等の問題も軽減できる。
【００２７】
また、おむつ長手方向における並列領域Ｒ１より背側部Ｂ側においては、おむつ着用時に、図４（ｂ）に示すように、吸収性コア４０が、側部非積繊部４４，４４で屈曲することによって、後方の大便の排泄部（肛門）付近に、吸収性コア４０が肌側にむかって凹状に屈曲した部分が生じ、それにより、着用者の肌と吸収性本体との間に大便を良好に保持可能な上向きのポケットＰが形成される。これにより、大便が肌に密着することによる不快感や肌に付着した大便の拭き取り作業の労力等が防止ないし軽減される。また、大便の漏れ防止性にも優れる。
【００２８】
上述した一又は二以上の効果をより確実に得る観点等から、吸収性コア４０の長手方向における前記並列領域Ｒ１の長さＬ１（図２参照）は、股下部Ｃのおむつ長手方向の長さＬｃ（図２参照）の２０〜８０％であることが好ましく、より好ましくは２０〜６０％であり、更に好ましくは２０〜５０％である。
また、サイド吸収部４２の幅Ｗ１（図３参照）は、吸収性コア４０の幅Ｗ２（図３参照）の５〜３０％であることが好ましく、より好ましくは１０〜２５％である。また、中央吸収部４１の幅Ｗ３（図３参照）は、吸収性コア４０の幅Ｗ２の２０〜７０％であることが好ましく、より好ましくは２５〜５０％である。また、中央非積繊部４３の幅Ｗ４は、１〜２５ｍｍであることが好ましく、より好ましくは２〜１５ｍｍである。また、中央吸収部４１の幅Ｗ３との関係では、中央非積繊部４３の幅Ｗ４は、中央吸収部４１の幅Ｗ３の３〜３０％であることが好ましく、より好ましくは５〜２５％である。また、側部非積繊部４４の幅Ｗ５は、１〜３５ｍｍであることが好ましく、より好ましくは５〜２５ｍｍである。また、吸収性コア４０の幅Ｗ２との関係では、側部非積繊部４４の幅Ｗ５は、吸収性コア４０の幅Ｗ２の１〜３０％であることが好ましく、より好ましくは５〜２０％である。
【００２９】
本実施形態のおむつ１は、図２及び図３に示すように、吸収性コア４０の長手方向の両側縁部に沿って、吸収性コア４０の側部部分４６を立ち上げるための弾性部材９が配されている。弾性部材９は、吸収性コア４０を被覆するコアラップシート４５の内面及び／又は外面に沿って伸長状態で配されており、腹側部Ａ及び背側部Ｂに両端部が固定されている。
また、吸収性本体５の両側には、防漏カフ６，６が形成されている。防漏カフ６は、吸収性本体５に接合された防漏カフ形成用シート６０、防漏カフ形成用シート６０の自由端近傍に伸長状態で固定された防漏カフ形成用の弾性部材６１、及び防漏カフ６の固定端と自由端との間に伸長状態で固定された防漏カフ中間弾性部材６２を備えている。
図３に示す例では、防漏カフ形成用シート６０として、所定幅の帯状の撥水性シートの１枚を、その長手方向に沿って二つ折りして、相対向する層間をホットメルト型接着剤又は部分的な熱シール若しくは超音波シール等で接合した２層構造のシートを用いており、前述した弾性部材６１，６２は、この２層構造シートの層間に伸長状態で固定されている。
【００３０】
また、表面シート２は、吸収性コア４０の上面側（肌当接面側）を被覆するとともに、その両側端部２１，２１が、吸収性コア４０の下面側（非肌当接面側）において、裏面シート３及び防漏カフ形成用シート６０にヒートシール等の接着剤等の公知の接合手段により接合固定されている。また、吸収性本体５は、幅方向の中央領域が接着剤１３により外包材１０と接合されている。
【００３１】
外包材１０は、図２、図３に示すように、２枚の外包材形成用シート１１，１２と、これら２枚のシート間に伸長状態で固定された各部の弾性部材とからなる。即ち、２枚の外包材形成用シート１１，１２間には、ウエスト開口部７の周縁部にウエストギャザーを形成するウエスト部弾性部材７１，レッグ開口部８の周縁部にレッグギャザーを形成するレッグ部弾性部材８１，及び胴回り部Ｄ（ウエスト開口部７の周縁端から下方に２０ｍｍ離間した位置からレッグ開口部８の上端までの領域）に左右に分割された状態の胴回りギャザーを形成する胴回り弾性部材９１が、それぞれ伸長状態で、ホットメルト型接着剤等の任意の接合手段により接合固定されている。
外包材形成用シート１１，１２は、何れも不織布から構成されている。これら２枚のシートのうちの一方又は双方は、ウエスト開口部７の周縁部において折り返され、その折り返された部分が、吸収性本体５の前後端における該吸収性本体５の肌当接面側に固定されている。
【００３２】
並列領域Ｒ１においては、吸収性コア４０を、図４（ａ）に示すような断面Ｗ字状に変形させる観点、及び／又は、並列領域Ｒ１より後方においては、吸収性コア４０を、図４（ｂ）に示すような断面形状に変形させる観点からは、例えば、前述した弾性部材９及び弾性部材６１，６２のように、吸収性本体５の両側部や、一部が吸収性本体５の両側部と重なるように設けられた防漏カフ６等に、吸収性コア４０の側部部分４６を引き上げるか又は押し上げ得るような作用を有する弾性部材を配置することが好ましい。
但し、吸収性コア４０の長手方向に沿う弾性部材がなくても、おむつを装着する際におむつの腹側部Ａの幅方向中央部を掴んで引き上げる力や、着用時に股下部Ｃの両側に加わる、着用者の大腿からの力により、吸収性コア４０は、図４（ａ）や図４（ｂ）に示すような形態に変形し得る。
【００３３】
おむつ１の形成材料について説明する。
おむつ１の各部の形成材料としては、従来の使い捨ておむつの当該部分に用いられる各種のものを特に制限なく用いることができる。例えば、表面シート２としては、親水性且つ液透過性の不織布、樹脂フィルムに開孔を形成したもの等を用いることができ、裏面シート３としては、透湿性又は非透湿性の樹脂フィルムや該樹脂フィルムと不織布の積層体等を用いることができる。
吸収性コア４０を構成する繊維集合体を構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。繊維集合体は、空気流に載せて供給した繊維材料を、所定形状の凹部内に吸引して堆積させる積繊工程を経て得られるものが好ましい。繊維材料とともに機能性材料を混合積繊したものであっても良い。機能性材料の保持形態は、２枚の繊維集合体間に挟んで保持する形態や、混合積繊して繊維間に保持させた状態等が挙げられる。繊維及び吸水性ポリマー等の機能性材料は、それぞれ、一種又は二種以上を組み合わせて用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等からなる粒子等が挙げられる。
【００３４】
防漏カフ形成用シート６０としては、スパンボンド・メルトブローン・スパンボンド等からなる多層構造の複合不織布、スパンボンド不織布、ヒートボンド不織布、エアスルー不織布等を用いることができる。各部に配される弾性部材の形態は、糸状のもの（糸ゴム等）、所定幅の帯状のもの（平ゴム等）等が好ましく、特に糸状のものが好ましい。各部に配される弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
【００３５】
上述したおむつ１の好ましい製造方法について説明する。
おむつ１の好ましい製造方法は、中央非積繊部４３を有する中央吸収部４１と、該中央吸収部４１との間に側部非積繊部４４を有する一対のサイド吸収部４２，４２を有する吸収性コア４０を製造する工程（図示せず）、コアラップシート４５における側部非積繊部４４に対応する部分に接着剤４７を配する工程、及び上下面にコアラップシート４５を配された状態の吸収性コア４０を、側部非積繊部４４に対応する部分それぞれに押し込み部１４１ａを有し中央非積繊部４３に対応する部分に押し込み部を有しない加圧ロール１４１で加圧し、上下のコアラップシート４５の一方又は双方を側部非積繊部４４に押し込んで、上下のコアラップシート４５ａ，４５ｂどうしを接合させる工程を具備する吸収体４の製造工程を具備する。
【００３６】
前記吸収性コア４０の製造には、例えば、空気流に載せて供給した繊維材料を、所定形状の凹部内に吸引して堆積させる２台の積繊ドラムを備えた積繊装置が好ましく用いられる。１台目の積繊ドラムで、中央非積繊部４３及び側部非積繊部４４，４４となる各部分に貫通孔を有する下部吸収層４１２を製造し、２台目の積繊ドラムで、中央非積繊部４３となる部分に貫通孔を有する上部吸収層４１１を製造した後、それらの吸収層４１１，４１２を重ねて、両層を貫通する貫通孔からなる中央非積繊部４３を有する吸収性コア４０を得る。コアラップシート４５における側部非積繊部４４に対応する部分に接着剤４７を配するには、各種の公知の接着剤塗工機４７Ａを用いることができる。
【００３７】
上下のコアラップシート４５ａ，４５ｂを側部非積繊部４４で接合させる際には、前述した加圧ロール１４１と周面が平滑なロール１４２との間で加圧しても良いし、前述した加圧ロール１４１と、その押し込み部１４１ａに対応する部位に同様の凸部を有する第２ロール１４２との間で加圧しても良い。押し込み部１４１ａとなる凸部は、加圧ロール１４１の周方向の全周囲に亘って連続的に突出していても良いし、周方向の一定の範囲のみが突出していても良い。吸収体４の製造以外の特に説明しない点については、パンツ型使い捨ておむつの従来の製造方法と同様とすることができ、例えば特開２００６−２４７３６３号公報に記載の方法と同様とすることができる。
【００３８】
コアラップシート４５ａにおける側部非積繊部４４に対応する部分をそれぞれ押し込んで、コアラップシート４５ｂに接合することで、側部非積繊部４４，４４間のコアラップシート４５ａに張力を加えられ、吸収性コア４０の上面とコアラップシート４５ａとの間に、より確実に、吸液した吸水性ポリマー又は該吸水性ポリマーを含む吸収性コアの膨潤を容易とする空間が確保される。
【００３９】
次に、本発明の他の実施形態について説明する。図７は、本発明の使い捨ておむつの他の実施形態における吸収体４Ａの幅方向の断面を示す図である。この実施形態については、上述したおむつ１との相違点を説明し、同様の点については説明を省略する。特に説明しない点については、上述したおむつ１について上述した説明（より好ましい構成も含む）が適宜適用される。
【００４０】
図７に示す吸収体４Ａにおける吸収性コア４０Ａは、上部吸収層４１１に中央非積繊部４３Ａとなる貫通孔を有しており、下部吸収層４１２における該貫通孔と重なる部分には貫通孔等は形成されていない。このように、本発明の中央非積繊部は、上部吸収層４１１と下部吸収層４１２とを有する多層構造の中央吸収部４１における上部吸収層４１１のみに貫通孔（非積繊部）が形成されてなるものであっても良い。
【００４１】
図７に示す実施形態においても、吸収性コア４０の上側に配されたコアラップシート４５ａが、側部非積繊部４４内に押し込まれており、その押し込まれた部分が、吸収性コア４０の下側に配されたコアラップシート４５ｂに接着剤４７を介して接合されている。他方、他方、中央非積繊部４３Ａにおいては、吸収性コア４０の上側に配されたコアラップシート４５ａは、その直下に位置する部材である下部吸収層４１２の上面に接合されていない。
【００４２】
図７に示す実施形態においても、中央非積繊部４３Ａの存在によって、中央吸収部４１に液が吸収されて該中央吸収部４１に含まれる吸水性ポリマーが膨潤するときに、吸水性ポリマーが膨潤阻害を受けることなく充分に膨潤することができる。吸水性ポリマーの吸収性能が充分に発現され、吸水性ポリマーの配合により使い捨ておむつの性能を効果的に向上させることができる。その一方、側部非積繊部４４において、吸収性コアの上下に配されたコアラップシート４５ａ，４５ｂどうしが接合されていることによって、吸収性コアの保形性にも優れており、おむつの着用中などに、中央吸収部４１やサイド吸収部４２，４２の形が崩れたり、それらの相互間の配置に乱れが生じたりすることが防止される。
【００４３】
以上、本発明の好ましい実施形態について説明したが、本発明は、上述した実施形態に制限されず、本発明の趣旨を逸脱しない範囲で種々変更が可能である。
【００４４】
例えば、本発明の使い捨ておむつは、外包材が、着用者の背側に配される背側シート部材と腹側に配される腹側シート部材とに分割されており、背側シート部材と腹側シート部材とが一対のサイドシール部で接合されて筒状をなしているとともに、吸収性本体が、背側シート部材と腹側シート部材との間に架け渡して固定されている外包材分割タイプのパンツ型使い捨ておむつであっても良い。また、背側部にファスニングテープを有し、該ファスニングテープを腹側部の外面に設けたランディングテープに止着して装着する、いわゆる展開型の使い捨ておむつであっても良い。展開型の使い捨ておむつにおいては、両側縁に、脚廻りの形状に適合するように凹状の切り欠き部を形成した部分を股下部とし、その前後に位置する部分が背側部及び腹側部である。
【００４５】
また、コアラップシートは、吸収性コアの幅方向断面の全周囲を一枚のシートが被覆していても良いし、吸収性コアの上側と下側とに別々のシートが配されていても良い。幅方向断面の全周囲を一枚のシートで被覆する場合、そのシートの両側縁どうしの連結部（好ましくは重合させて接合した接合部）は、吸収性コアの上下のいずれに存在しても良いが、吸収性コアの下に存在することが好ましく、特に、左右の側部非積繊部４４間の領域に存することが好ましい。また、吸収性コアの上側と下側とに別々のシートを配する場合、下側のシートの両側部が吸収性コアの上面側に巻き上げられ、その巻き上げられた両側部に、上側のシートの両側部が重合されて接合されていること、あるいは、上面側のシートの両側部が吸収性コアの下面側に巻き下げられ、その巻き下げられた両側部に、下側のシートの両側部が重合されて接合されていることが好ましい。
【００４６】
また、中央非積繊部４３及び一対の側部非積繊部４４，４４は、単層構造の吸収性コアに平面視縦長の貫通孔を並列状に形成したものであっても良い。この場合、中央吸収部４１とサイド吸収部４２とで厚みが同じでも良く、又は、中央吸収部４１の厚みをサイド吸収部４２より厚くしても良い。また、そのような単層構造の吸収体においても、吸収体とコアラップシートとの接合状態を、図３や図７に示す実施形態やそれぞれのより好ましい実施形態と同様とすることができる。その場合にも、上述した使い捨ておむつ１等と同様の作用効果が得られる。
また、使い捨ておむつ１において、接着剤４８及び／又は接着剤４９による接合部は設けないこともできる。
【００４７】
また、図２に示した使い捨ておむつ１においては、吸収性コアの長手方向における腹側部Ａ側において、中央非積繊部４３が、側部非積繊部４４の端部４４ａの位置より腹側部Ａ側に延出しているが、これに代えて、中央非積繊部４３の腹側部側の端部４３ａと側部非積繊部４４の腹側部側の端部４４ａとが横一列に並んでいても良いし、側部非積繊部４４が、中央非積繊部４３の腹側部Ａ側の端部４３ａの位置より腹側部Ａ側に延出していても良い。
また、図２に示した使い捨ておむつ１においては、吸収性コアの長手方向における背側部Ｂ側において、側部非積繊部４４が、中央非積繊部４３の端部４３ｂの位置より背側部Ｂ側に延出しているが、これに代えて、３本の非積繊部の背側部Ｂ側の端部４３ｂ，４４ｂが横一列に並んでいても良いし、中央非積繊部４３が、側部非積繊部４４の背側部Ｂ側の端部４４ｂの位置より背側部Ｂ側に延出していても良い。
【００４８】
また、上述した実施形態のおむつ１における弾性部材９を省略することもでき、防漏カフ６，６に配する弾性部材６２や防漏カフ自体を省略することもできる。また、吸収性本体５に、吸収性コア４０の長手方向の両側縁それぞれの外方に延出する一対の側部ギャザーを形成し、該側部ギャザーに配した弾性部材を、吸収性コア４０の側部部分を立ち上げる弾性部材として利用しても良い。吸収性本体５は、吸収性コア４０の長手方向に沿って延びる弾性部材を有しないものであってもよい。また、中央非積繊部４３及び側部非積繊部４４は、吸収性コア４０を、図４（ａ）及び図４（ｂ）に示すように屈曲させるものに限られない。
【符号の説明】
【００４９】
１  使い捨ておむつ
２  表面シート
３  裏面シート
４  吸収体
４０  吸収性コア
４１  中央吸収部
４２  サイド吸収部
４３  中央非積繊部
４４  側部非積繊部
４１１  上部吸収層
４１２  下部吸収層
４５  コアラップシート
４５ａ  吸収性コアの上側に配されたコアラップシート
４５ｂ  吸収性コアの上側に配されたコアラップシート
５  吸収性本体
６  防漏カフ
７  ウエスト開口部
８  レッグ開口部
１０  外包材
Ａ  腹側部
Ｂ  背側部
Ｃ  股下部
Ｓ  サイドシール部
【図１】
0005618684.tif 000002
【図２】
0005618684.tif 000003
【図３】
0005618684.tif 000004
【図４】
0005618684.tif 000005
【図５】
0005618684.tif 000006
【図６】
0005618684.tif 000007
【図７】
0005618684.tif 000008